(57)【特許請求の範囲】
【請求項１】
吹出用のファンを備えた室外ユニットにおいて、
前記ファンに対してファンケースが配設され、
このファンケースは、
前記室外ユニットの前面側に前記ファンが取り付けられる横吹きの場合と、前記室外ユニットの上面側に前記ファンが取り付けられる上吹きの場合とで兼用でき、
方形の基板の外周囲に形成された縁片と、前記基板の中央部に前記縁片と反対方向に突出して形成された円筒形の送風筒とを備え、
前記縁片のうち１組の対向縁片の両端部に前記上吹きの場合の室外ユニットの取付部における対向桟材に嵌合する切欠部がそれぞれ設けられ、
前記基板の四隅部に前記横吹きの場合と上吹きの場合とで共通の取付孔が設けられ、
前記横吹きの場合は前記送風筒が前記室外ユニットの内側に向くようにして、前記室外ユニットの取付部に嵌め込んで取り付け、
前記上吹きの場合は前記送風筒が前記室外ユニットの外側に向くようにして、前記室外ユニットの取付部に落とし込んで取り付けるように構成した、
ことを特徴とする室外ユニット。
【発明の詳細な説明】
【技術分野】
【０００１】
本発明は、冷凍機等の室外ユニットに係るもので、特に室外ユニットの前面側又は上面側に取り付けられる兼用ファンケースを備えた室外ユニットに関する。
【背景技術】
【０００２】
冷凍ショーケース例えばスーパーマーケット等の店舗に設置される冷凍ショーケースは、屋外に設置される室外ユニットと、店舗内に設置される室内ユニットとからなり、室外ユニットには通常圧縮機、凝縮器、レシーバタンク及びアキュムレータ等が収納され、店舗内に設置される室内ユニットには減圧装置、蒸発器及びその他の機器等が収納され、これらを配管接続することにより冷媒回路が構成されている。又、凝縮器のみを収納するコンデンサユニットを室外ユニットとして構成する場合もある。
【０００３】
上記室外ユニットは、圧縮機を含む冷媒回路要素が収納されているのが一般的である。この室外ユニット内に収納されている圧縮機は、冷媒ガスを圧縮して吐出管から吐出させると共に凝縮器に送り込むが、圧縮機内で圧縮される冷媒ガスは高圧・高温になるため、圧縮機の温度は昇温する。圧縮機が過熱状態になると危険が生じるのみならず圧縮性能の低下を招くことになる。
【０００４】
空気調和機においては、通常室外ユニット内に圧縮機、アキュムレータ、熱交換器、ファンとモータとで構成される送風機等が組み込まれ、この送風機により室外機ユニットの前面側から冷房時には暖気を、暖房時には冷気を吹出すようにしている（例えば、特許文献１）。又、複数の圧縮機等を組み込んだ大型の室外ユニットにおいては、複数の送風機を上向きに配設して室外ユニットの上面側から暖気又は冷気を吹出すようにしたものも知られている（例えば、特許文献２）。
【特許文献１】特開平８−１６６１４６号公報
【特許文献２】特開平１０−２２０８８３号公報
【発明の開示】
【発明が解決しようとする課題】
【０００５】
空気調和機に限らず、冷凍機の室外ユニットにおいても送風機が組み込まれて室内ユニット内に配設されている圧縮機を冷却することが行われる。このような場合に、室外ユニットの前面側に吹き出す（以下、横吹きと称する）ものと、室外ユニットの上面側に吹き出す（以下、上吹きと称する）ものとがある。そして、送風機のファンによる吹き出しを効率良く行うために、送風筒を備えたファンケースがファンを取り巻くようにして取り付けられるが、横吹きの場合と上吹きの場合とでは１種類のファンケースを兼用することはできず、横吹き用ファンケースと上吹き用ファンケースとをそれぞれ専用のファンケースとして形成しなければならなかった。
【０００６】
本発明は、上記従来技術の不便さを解消するためになされてもので、１種類のファンケースで横吹き用にも上吹き用にもどちらにも使用できるようにしたファンケースを備えた室外ユニットを提供することを目的とする。
【課題を解決するための手段】
【０００７】
上記の目的を達成するために、請求項１の室外ユニットは、吹出用のファンを備えた室外ユニットにおいて、前記ファンに対してファンケースが配設され、このファンケースは、前記室外ユニットの前面側に前記ファンが取り付けられる横吹きの場合と、前記室外ユニットの上面側に前記ファンが取り付けられる上吹きの場合とで兼用でき、方形の基板の外周囲に形成された縁片と、前記基板の中央部に前記縁片と反対方向に突出して形成された円筒形の送風筒とを備え、前記縁片のうち１組の対向縁片の両端部に前記上吹きの場合の室外ユニットの取付部における対向桟材に嵌合する切欠部がそれぞれ設けられ、前記基板の四隅部に前記横吹きの場合と上吹きの場合とで共通の取付孔が設けられ、前記横吹きの場合は前記送風筒が前記室外ユニットの内側に向くようにして、前記室外ユニットの取付部に嵌め込んで取り付け、前記上吹きの場合は前記送風筒が前記室外ユニットの外側に向くようにして、前記室外ユニットの取付部に落とし込んで取り付けるように構成した、ことを特徴とする。
【発明の効果】
【００１０】
上記請求項１の発明によれば、吹出用のファンを備えた室外ユニットにおいて、横吹きの場合であっても上吹きの場合であっても１種類のファンケースで兼用できるため、従来のようにそれぞれ専用のファンケースを形成する必要がなくなる。これにより、ファンケースの生産が容易になると共に、その製造コストを低減させることが可能となり、ファンケースの在庫管理もし易くなる。
また、上記請求項１の発明によれば、前記ファンケースは、方形の基板の外周囲に形成された縁片と、前記基板の中央部に前記縁片と反対方向に突出して形成された円筒形の送風筒とを備えた構成であり、横吹きの場合は送風筒が室外ユニットの内側に向くようにして、室外ユニットの取付部に嵌め込んで取り付け、上吹きの場合は送風筒が室外ユニットの外側に向くようにして、室外ユニットの取付部に落とし込んで取り付けるようにしたので、ファンケースの向きを変えるだけで容易に所定位置に取り付けることができる。
また、上記請求項１の発明によれば、前記ファンケースは、縁片のうち対向する縁片の両端部に上吹きの場合の室外ユニットの取付部における対向桟材に嵌合する切欠部がそれぞれ設けられ、基板の四隅部には横吹きの場合と上吹きの場合とで共通の取付孔が設けられているため、特に上吹きの場合には前記切欠部を利用して前記対向桟材に対して容易に落とし込むことができ、且つ共通の取付孔を利用して固定することができる。これにより、取付作業がし易く、その作業能率を向上させることができる。
【発明を実施するための最良の形態】
【００１３】
以下、本発明に係る室外ユニットの実施形態を添付図面に基づいて説明する。図１は、本発明に係る冷凍機室外ユニットの実施形態におけるファンケースを示すもので、（ａ）は正面図、（ｂ）は（ａ）のＸ−Ｘ線に沿う断面図である。図２は、本発明に係る冷凍機室外ユニットの実施形態におけるファンケースの斜視図を示すもので、（ａ）は正面側から見た斜視図、（ｂ）は背面側から見た斜視図である。
【００１４】
図１において、１は合成樹脂で形成されたファンケースであり、方形の基板１ａの外周囲に前方側に張り出して形成された４つの縁片１ｂと、基板１ａの中央部に縁片１ｂと反対方向即ち後方側に突出して形成された円筒形の送風筒１ｃとを備えている。又、図２（ａ）、（ｂ）にも示すように４つの縁片１ｂのうち１組の対向縁片の両端部に切欠部１ｄがそれぞれ設けられ、基板１ａの四隅部には取付孔１ｅがそれぞれ設けられている。尚、ファンケース１は合成樹脂製に限定されず金属製であっても良い。
【００１５】
図３は、本発明に係る冷凍機室外ユニットの実施形態を示すもので、横吹きの場合の前面側から見た斜視図である。図３において、２は冷凍機の室外ユニットであり、金属材料によって直方体に形成されたハウジング２ａを有し、図示は省略したがこのハウジング２ａ内に圧縮機、凝縮器、レシーバタンク及びアキュムレータ等の必要な機器が配設されている。
【００１６】
図４は、図３における室外ユニット２の横吹き部分における前記ファンケース１及び送風機３の取付状態を示す概略縦断面図である。図４において、４は前記ハウジング２ａの前面側に形成されている開口部２ｂに取り付けられた枠状の取付部であり、この例では断面略Ｌ型のアングル材から構成されている。この枠状の取付部４に対して、ファンケース１を前記送風筒１ｃがハウジング２ａの内方に向くようにして前面側から嵌め込み、前記基板１ａの外周部を取付部４に受止させると共に、前記取付孔１ｅに止めねじを差し込んで取付部４に設けられているねじ孔（図略）にそれぞれ螺着することによりファンケース１を取り付けることができる。尚、取付部４のねじ孔はファンケース１の取付孔１ｅに対応させて設けられており、ファンケース１を嵌め込んだ際に取付孔１ｅと合致する位置に予め形成してある。又、ファンケース１の取付時に取付孔１ｅに対応する取付部４の位置にねじ孔を設けるようにしても良い。
【００１７】
上記送風機３はファン３ａとモータ３ｂとから構成され、図示を省略したモータ固定台に対してモータ３ｂを固定することにより、ハウジング２ａ内に配設されている。そして、前記ファンケース１を取り付けた際に、図５に示すようにファン３ａの中心軸Ｃ（モータ３ｂの回転軸）が送風筒１ｃの中心軸と合致してファン３ａの一部が送風筒１ｃの内部に入り込むようにしてある。この時、ファンケース１の内端縁からのファン３ａの突出量Ｌがファン３ａの全高Ｈの１／３〜１／２（Ｌ＝１／３〜１／２Ｈ）となるように設定すると、吹き出し風量が大きくなって好ましい。
【００１８】
このようにしてファンケース１を取り付けた後、図３に示すように室外ユニット２の開口部２ｂを覆うようにして公知のガード部材５がハウジング２ａに固定して取り付けられる。本実施形態では、送風機３が２台取り付けられているため、それに対応してガード部材５も２個取り付けられる。
【００１９】
次に、冷凍機室外ユニットが上吹きの場合の実施形態について説明する。図６は上吹き冷凍機室外ユニットの概略斜視図であり、図７はその室外ユニットの上吹き部分における前記ファンケース１及び送風機３の取付要領を示す概略斜視図である。
【００２０】
図６において、６は冷凍機室外ユニットであり、金属材料によって直方体に形成されたハウジング６ａを有し、図示は省略したがこのハウジング６ａ内に圧縮機、凝縮器、レシーバタンク及びアキュムレータ等の必要な機器が配設されている。
【００２１】
図７において、７は前記ハウジング６ａの上面開口部６ｂに取り付けられた枠状の取付部であり、この例では断面略Ｌ型のアングル材から構成されている。この枠状の取付部７における長手方向の対向桟材７ａに対して、前記ファンケース１を送風筒１ｃがハウジング６ａの外方に向くようにして前記切欠部１ｄをそれぞれ嵌め込んで上方側から落とし込む。この時、切欠部１ｄが設けられていない１組の縁片１ｂは、ハウジング６ａの前面側パネル、背面側パネルを跨いでそれらのパネルにそれぞれ密着する。このようして、前記基板１ａの外周部における１組の対向縁部を対向桟材７ａに受止させると共に、前記取付孔１ｅに止めねじを差し込んで対向桟材７ａに設けられているねじ孔（図略）にそれぞれ螺着することによりファンケース１を取り付けることができる。尚、対向桟材７ａのねじ孔はファンケース１の取付孔１ｅに対応させて設けられており、ファンケース１を落とし込んだ際に取付孔１ｅと合致する位置に予め形成してある。又、ファンケース１の取付時に取付孔１ｅに対応する対向桟材７ａの位置にねじ孔を設けるようにしても良い。
【００２２】
送風機３は、前記のようにファン３ａとモータ３ｂとから構成され、図示を省略したモータ固定台に対してモータ３ｂを固定することにより、ハウジング６ａ内に配設されている。そして、ファンケース１を取り付けた際に、図８に示すようにファン３ａの中心軸Ｃ（モータ３ｂの回転軸）が送風筒１ｃの中心軸と合致してファン３ａの一部が送風筒１ｃの内部に入り込むようにしてある。この時も前記と同様に、ファンケース１の内端縁からのファン３ａの突出量Ｌがファン３ａの全高Ｈの１／３〜１／２（Ｌ＝１／３〜１／２Ｈ）となるように設定すると、吹き出し風量が大きくなって好ましい。
【００２３】
このようにして、ハウジング６ａの上面開口部６ｂにおける取付部７の関係で、前記横吹きの場合のようにファンケース１を取付部７に嵌め込んで取り付けることはできないが、上記のようにファンケース１を逆向きにし、切欠部１ｄを利用して対向桟材７ａに嵌めて落とし込むようにすれば、横吹きの場合と共通の取付孔１ｅによりファンケース１をねじ止めして容易に取り付けることができる。尚、図６において、８は公知のガード部材であり仮想線で示してある。
【００２４】
この室外ユニット６において、横吹きに取り付けたい時は前面側に前記室外ユニット２における横吹きの取付部構成を採用することで、ファンケース１を容易に取り付けることができる。つまり、１種類のファンケース１によって横吹きでも上吹きでもどちらでも取り付けることが可能である。前記室外ユニット２においても、上吹きに取り付けたい時は上面側に室内ユニット６における上吹きの取付部構成を採用することで、ファンケース１を容易に取り付けることができる。つまり、１種類のファンケース１によって横吹きでも上吹きでもどちらでも取り付けることが可能である。これにより、横吹きの場合であっても上吹きの場合であっても１種類のファンケースで兼用できるため、従来のようにそれぞれ専用のファンケースを形成する必要がなくなり、ファンケースの生産が容易になると共に、その製造コストを低減させることが可能となり、ファンケースの在庫管理もし易くなる。尚、前記実施形態では、冷凍機室外ユニットに適用した例で説明したが、本発明は空気調和機の室外ユニットにも適用することが可能である。
【産業上の利用可能性】
【００２５】
本発明は、冷凍機等の室外ユニットに利用することができ、１種類のファンケースで横吹き用にも上吹き用にもどちらにも使用できるようにしたファンケースを備えた室外ユニットを提供することができる。
【図面の簡単な説明】
【００２６】
【図１】本発明に係る冷凍機室外ユニットの実施形態におけるファンケースを示すもので、（ａ）は正面図、（ｂ）は（ａ）のＸ−Ｘ線に沿う断面図である。
【図２】本発明に係る冷凍機室外ユニットの実施形態におけるファンケースの斜視図を示すもので、（ａ）は正面側から見た斜視図、（ｂ）は背面側から見た斜視図である。
【図３】本発明に係る冷凍機室外ユニットの実施形態を示すもので、横吹きの場合の前面側から見た斜視図である。
【図４】図３における室外ユニットの横吹き部分におけるファンケース１及び送風機３の取付状態を示す概略縦断面図である。
【図５】横吹き状態での送風機とファンケースとの位置関係を示す説明図である。
【図６】本発明に係る冷凍機室外ユニットの他の実施形態を示すもので、上吹きの場合の前面側から見た概略斜視図である。
【図７】図６の室外ユニットの上吹き部分におけるファンケース及び送風機の取付要領を示す概略斜視図である。
【図８】上向き状態での送風機とファンケースとの位置関係を示す説明図である。
【符号の説明】
【００２７】
１  ファンケース
１ａ  基板
１ｂ  縁片
１ｃ  送風筒
１ｄ  切欠部
１ｅ  取付孔
２  室外ユニット
２ａ  ハウジング
２ｂ  開口部
３  送風機
３ａ  ファン
３ｂ  モータ
４  取付部
５  ガード部材
６  室外ユニット
６ａ  ハウジング
６ｂ  上面開口部
７  取付部
７ａ  対向桟材
８  ガード部材
【図１】
0004744256.tif 000002
【図２】
0004744256.tif 000003
【図３】
0004744256.tif 000004
【図４】
0004744256.tif 000005
【図５】
0004744256.tif 000006
【図６】
0004744256.tif 000007
【図７】
0004744256.tif 000008
【図８】
0004744256.tif 000009